(57)【要約】【課題】プリンタなどの情報処理装置における無線設定を極めて容易として、コストアップを抑制する。【解決手段】ＰＣ１６０は所定の無線設定機能を備えるプリンタ１００とＵＳＢを介して接続され、ＡＰ１１０とプリンタとの無線通信の設定を行う際の無線設定制御を行う。ＰＣはＵＳＢを介してプリンタに対して無線設定の開始を指示するとともに、有線ＬＡＮ１２０を介してＡＰに対してプリンタとの無線設定の開始を指示する。ＰＣは無線設定の開始指示に応じてプリンタおよびＡＰとの間で行われた無線設定の結果である設定結果通知を受けると、当該設定結果通知を表示部に表示する。【選択図】図２
2013055463.tif 000002
【特許請求の範囲】
【請求項１】
所定の無線設定機能を備える情報処理装置と有線回線を介して接続され、無線アクセスポイントと前記情報処理装置との無線通信の設定を行う際の無線設定制御を行う無線設定制御装置であって、
前記有線回線を介して前記情報処理装置に対して無線設定の開始を指示するとともに、ネットワークを介して前記無線アクセスポイントに対して前記情報処理装置との無線設定の開始を指示する無線設定制御手段と、
前記無線設定制御手段による無線設定の開始指示に応じて前記情報処理装置および前記無線アクセスポイントとの間で行われた無線設定の結果である設定結果通知を受けると、当該設定結果通知を表示部に表示する表示制御手段とを有することを特徴とする無線設定制御装置。
【請求項２】
前記ネットワークとして有線ＬＡＮ又は無線ＬＡＮが用いられることを特徴とする請求項１又は２に記載の無線設定制御装置。
【請求項３】
所定のアプリケーションプログラムがユーザーによって起動された際、前記無線設定制御手段および前記表示制御手段が動作することを特徴とする請求項１又は２に記載の無線設定制御装置。
【請求項４】
前記情報処理装置は印刷データに応じて印刷を実行する画像形成装置であり、
前記無線設定制御装置として、前記画像形成装置に対して前記有線回線を介して前記印刷データを送って前記画像形成装置に印刷指示を行うＰＣを用いることを特徴とする請求項１〜３のいずれか１項に記載の画像形成装置。
【請求項５】
前記無線アクセスポイントおよび前記情報処理装置の少なくとも一つから前記無線設定が失敗した旨の通知を受けると、前記無線アクセスポイントに対して前記無線設定に要する無線設定パラメータを要求するパラメータ要求手段と、
前記無線アクセスポイントから前記無線設定パラメータを受けると、前記無線設定パラメータによる無線設定を前記情報処理装置に対して指示するリカバリ制御手段とを有することを特徴とする請求項１〜４のいずれか１項に記載の無線設定制御装置。
【請求項６】
前記無線設定パラメータによる無線設定の結果通知を前記情報処理装置から受けると、前記表示制御手段は当該結果通知を前記表示部に表示することを特徴とする請求項５に記載の無線設定制御装置。
【請求項７】
前記無線設定パラメータによる無線設定の結果通知を前記情報処理装置から受けると、当該無線設定による無線通信状態を示す無線通信状態情報の送信を前記情報処理装置に指示する状態情報要求手段を有し、
情報処理装置から前記無線通信状態情報を受けると、前記表示制御手段は当該無線通信状態情報を前記表示部に表示することを特徴とする請求項５又は６に記載の無線設定制御装置。
【請求項８】
所定の無線設定機能を備える情報処理装置と有線回線を介して接続され、無線アクセスポイントと前記情報処理装置との無線通信の設定を行う際の無線設定制御を行う無線設定制御装置の制御方法であって、
前記有線回線を介して前記情報処理装置に対して無線設定の開始を指示するとともに、ネットワークを介して前記無線アクセスポイントに対して前記情報処理装置との無線設定の開始を指示する無線設定制御ステップと、
前記無線設定制御ステップによる無線設定の開始指示に応じて前記情報処理装置および前記無線アクセスポイントとの間で行われた無線設定の結果である設定結果通知を受けると、当該設定結果通知を表示部に表示する表示制御ステップとを有することを特徴とする制御方法。
【請求項９】
所定の無線設定機能を備える情報処理装置と有線回線を介して接続され、無線アクセスポイントと前記情報処理装置との無線通信の設定を行う際の無線設定制御を行う無線設定制御装置で用いられる制御プログラムであって、
前記無線設定制御装置が備えるコンピュータに、
前記有線回線を介して前記情報処理装置に対して無線設定の開始を指示するとともに、ネットワークを介して前記無線アクセスポイントに対して前記情報処理装置との無線設定の開始を指示する無線設定制御ステップと、
前記無線設定制御ステップによる無線設定の開始指示に応じて前記情報処理装置および前記無線アクセスポイントとの間で行われた無線設定の結果である設定結果通知を受けると、当該設定結果通知を表示部に表示する表示制御ステップとを実行させることを特徴とする制御プログラム。
【発明の詳細な説明】
【技術分野】
【０００１】
本発明は、画像形成装置などの情報処理装置に無線設定を行うための無線設定制御装置に関し、特に、情報処理装置において無線通信のための設定を行う方法に関する。
【背景技術】
【０００２】
一般に、画像形成装置などの情報処理装置において、外部機器と無線通信を行う際には初期設定を行う必要がある。例えば、情報処理装置と無線アクセスポイント（ＡＰ）との通信設定においては、例えば、ＡＯＳＳ（ＡｉｒＳｔａｔｉｏｎ  Ｏｎｅ−Ｔｏｕｃｈ  Ｓｅｃｕｒｅ  Ｓｙｓｔｅｍ）およびＷＰＳ（Ｗｉ−Ｆｉ  Ｐｒｏｔｅｃｔｅｄ  Ｓｅｔｕｐ）が知られている。
【０００３】
このＡＯＳＳは、バッファロー社の無線ＬＡＮルータなどが備える簡易設定機能である。また、ＷＰＳは、無線ＬＡＮ関連の業界団体Ｗｉ−Ｆｉ  Ａｌｌｉａｎｃｅ
が定める規格である。
【０００４】
無線設定の際には設定すべき項目数および選択肢が多く、しかもその用語が難解であるため、初心者にとっては無線設定を行うことが極めて難しい。一方、上記のＡＯＳＳおよびＷＰＳでは、ＡＯＳＳ又はＷＰＳに対応した無線機器同士において簡単な操作で無線設定が行え、無線設定を初心者でも容易に行うことが可能である。
【０００５】
さらに、ＰＣなどのコンピュータと画像形成装置とを直接接続して、コンピュータ上の設定ユーティリティ（アプリケーションプログラム）によって画像形成装置における無線設定が行われている。加えて、画像形成装置に備えられた入力パネルを用いてユーザーが無線設定を行うようにしたものもある。
【０００６】
ところで、無線通信環境に通信端末装置（例えば、デジタルスチルカメラ）を新規に接続して通信確立を行う際には、通信設定項目をユーザーが確認して通信端末装置に設定する必要がある。ところが、このような設定操作はユーザーにとって一般に面倒である。
【０００７】
一方、無線通信機能および有線通信機能を備える通信端末装置において、ＰＣなどのコンピュータに設定されている無線設定情報を、有線通信機能を用いてコンピュータから取得するようにしたものがある。そして、当該無線設定情報を無線通信機能を用いた無線通信の際の無線設定情報として利用するようにしている（特許文献１参照）。
【先行技術文献】
【特許文献】
【０００８】
【特許文献１】特開２００７−７４５５６号公報
【発明の概要】
【発明が解決しようとする課題】
【０００９】
上述のＡＯＳＳおよびＷＰＳは無線通信装置をピアツーピア接続で利用する際の無線設定で用いられる。そして、ＡＯＳＳ又はＷＰＳを用いて無線設定を行う場合には、画像形成装置などの情報処理装置には最小限のボタン入力装置が必要となる。無線設定を行う際には、ＡＰおよび情報処理装置の近くで操作を行う必要がある。
【００１０】
一方、ＰＩＮ（ｐｅｒｓｏｎａｌ  ｉｄｅｎｔｉｆｉｃａｔｉｏｎ  ｎｕｍｂｅｒ）コードを入力して無線設定を行う場合には、当該ＰＩＮコードを入力するためのパネル入力装置が必要となる。そして、ＰＩＮコードを入力する際には入力ミスが発生することがある。
【００１１】
加えて、画像形成装置などの情報処理装置においては、コストを安価とすることを考慮すると、情報処理装置にパネル入力装置を備えることが難しい。
【００１２】
いずれにしても、画像形成装置などの情報処理装置において無線設定を行う際には、ユーザーにとってはその設定が面倒であり、しかも無線設定のための入力装置を設けるとなるとコストアップとなってしまうという課題がある。
【００１３】
従って、本発明の目的は情報処理装置における無線設定が極めて容易でしかもコストアップすることのない無線設定制御装置、その制御方法、および制御プログラムを提供することにある。
【課題を解決するための手段】
【００１４】
上記の目的を達成するため、本発明による無線設定制御装置は、所定の無線設定機能を備える情報処理装置と有線回線を介して接続され、無線アクセスポイントと前記情報処理装置との無線通信の設定を行う際の無線設定制御を行う無線設定制御装置であって、前記有線回線を介して前記情報処理装置に対して無線設定の開始を指示するとともに、ネットワークを介して前記無線アクセスポイントに対して前記情報処理装置との無線設定の開始を指示する無線設定制御手段と、前記無線設定制御手段による無線設定の開始指示に応じて前記情報処理装置および前記無線アクセスポイントとの間で行われた無線設定の結果である設定結果通知を受けると、当該設定結果通知を表示部に表示する表示制御手段とを有することを特徴とする。
【００１５】
本発明による制御方法は、所定の無線設定機能を備える情報処理装置と有線回線を介して接続され、無線アクセスポイントと前記情報処理装置との無線通信の設定を行う際の無線設定制御を行う無線設定制御装置の制御方法であって、前記有線回線を介して前記情報処理装置に対して無線設定の開始を指示するとともに、ネットワークを介して前記無線アクセスポイントに対して前記情報処理装置との無線設定の開始を指示する無線設定制御ステップと、前記無線設定制御ステップによる無線設定の開始指示に応じて前記情報処理装置および前記無線アクセスポイントとの間で行われた無線設定の結果である設定結果通知を受けると、当該設定結果通知を表示部に表示する表示制御ステップとを有することを特徴とする。
【００１６】
本発明による制御プログラムは、所定の無線設定機能を備える情報処理装置と有線回線を介して接続され、無線アクセスポイントと前記情報処理装置との無線通信の設定を行う際の無線設定制御を行う無線設定制御装置で用いられる制御プログラムであって、前記無線設定制御装置が備えるコンピュータに、前記有線回線を介して前記情報処理装置に対して無線設定の開始を指示するとともに、ネットワークを介して前記無線アクセスポイントに対して前記情報処理装置との無線設定の開始を指示する無線設定制御ステップと、前記無線設定制御ステップによる無線設定の開始指示に応じて前記情報処理装置および前記無線アクセスポイントとの間で行われた無線設定の結果である設定結果通知を受けると、当該設定結果通知を表示部に表示する表示制御ステップとを実行させることを特徴とする。
【発明の効果】
【００１７】
本発明によれば、画像形成装置などの情報処理装置における無線設定が極めて容易でしかもコストアップすることがない。
【図面の簡単な説明】
【００１８】
【図１】本発明の実施の形態によるプリンタが用いられた無線ＬＡＮシステムの一例を示す図である。
【図２】図１に示す無線ＬＡＮシステムにおける無線設定制御の第１の例を説明するための図である。
【図３】図１に示す無線ＬＡＮシステムにおける無線設定制御の第２の例を説明するための図である。
【図４】図２に示す無線設定制御においてエラーが発生した際のリカバリ処理を説明するための図である。
【図５】図１に示す無線ＬＡＮを用いたＰＣにおいて無線設定制御を行う際に図２に示す無線設定制御においてエラーが発生した際のリカバリ処理を説明するための図である。
【発明を実施するための形態】
【００１９】
以下、本発明の実施の形態による無線設定制御装置の一例について図面を参照して説明する。なお、以下の説明では、情報処理装置の一つである画像形成装置（プリンタ）に対して無線設定を行う場合について説明する。
【００２０】
図１は、本発明の実施の形態によるプリンタが用いられた無線ＬＡＮシステムの一例を示す図である。
【００２１】
図１において、プリンタ１００には、後述するようにして、無線ＬＡＮ通信設定（以下単に無線設定と呼ぶ）が設定される。プリンタ１００は無線設定によってネットワークインターフェースによって無線アクセスポイント（ＡＰ）１１０と無線通信を行うことができる。そして、ＡＰ１１０は有線ＬＡＮ１２０（ネットワーク）に接続されている。
【００２２】
図示の例では、プリンタ１００はコンピュータ（ＰＣ：無線設定制御装置）１５０および１６０とローカルインターフェース（例えば、ＵＳＢインターフェース：有線回線）で接続可能である。
【００２３】
プリンタ１００がローカルインターフェースによってＰＣ１５０又は１６０と接続された場合には、ＰＣ１５０又は１６０とプリンタ１００との間において、ローカルインターフェースで規定された通信プロトコルによって双方向の通信を行うことができる。
【００２４】
当該通信によってＰＣ２５０又は１６０から印刷データおよび印刷指示がプリンタ１００に送信され、プリンタ１００は印刷データに応じて印刷を実行する。さらに、プリンタ１００からＰＣ１５０又は１６０にプリンタステータス情報が通知される。
【００２５】
ＰＣ１５０はネットワークインターフェースによって無線ＬＡＮを介してＡＰ１１０に接続されており、これによってＰＣ１５０はＡＰ１１０と野間で無線通信を行うことができる。ＰＣ１６０はネットワークインターフェースを介して有線ＬＡＮ１２０に接続されている。
【００２６】
ネットワークインターフェースによって通信を行う際には、通信プロトコルとして、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）が用いられる。
【００２７】
プリンタ１００には、無線設定機能として、例えば、ＡＯＳＳ又はＷＰＳなどの標準的な無線設定機能が備えられている。そして、この無線設定機能によってローカルインターフェースおよびネットワークインターフェースを介して後述するように無線設定が行われる。
【００２８】
例えば、ローカルインターフェースにはプリンタ制御用論理チャネルが実装がされる。そして、プリンタ制御用論理チャネルにはプリンタ設定制御用の通信プロトコルが送信される。また、ネットワークインターフェースでは指定されたＵＤＰ（Ｕｓｅｒ  Ｄａｔａｇｒａｍ  Ｐｒｏｔｏｃｏｌ）ポート番号に、プリンタ設定制御用の通信プロトコルが送信される。
【００２９】
なお、ＴＣＰ／ＩＰにおけるＨＴＴＰ（ＨｙｐｅｒＴｅｘｔ  Ｔｒａｎｓｆｅｒ  Ｐｒｏｔｏｃｏｌ）においてＷＥＢサービスに無線設定を行う機能を設けるようにしてもよい。ＷＥＢサービスを用いるようにすれば、ＳＳＬ（Ｓｅｃｕｒｅ  Ｓｏｃｋｅｔ  Ｌａｙｅｒ）およびＪａｖａ(登録商標)スクリプトなどの利用が可能となって、セキュリティを確保した形態で無線設定制御を行うことができる。
【００３０】
図２は、図１に示す無線ＬＡＮシステムにおける無線設定制御の第１の例を説明するための図である。なお、ここでは、無線設定機能として、ＷＰＳを用いる場合について説明する。
【００３１】
図２において、無線設定を行うための所定のアプリケーションプログラムはＰＣ１６０で実行されるものとする。前述のように、ＰＣ１６０は有線ＬＡＮ１２０に接続されている。また、ＰＣ１６０はＵＳＢインターフェースによってプリンタ１００と接続されている。
【００３２】
まず、ＰＣ１６０において、ユーザーの指示に応じてアプリケーションプログラムが起動される。例えば、ＰＣ１６０上で動作するオペレーティングシステム（ＯＳ：例えば、Ｗｉｎｄｏｗｓ(登録商標)  ＯＳ）上のユーザーインターフェースよって起動が指定されたアプリケーショプログラムが実行される。
【００３３】
アプリケーションプログラムが実行されると、ＰＣ１６０はＵＳＢインターフェースを介してプリンタ１００に対して無線ＬＡＮの設定開始を通知する（ステップＳ２０１：無線設定制御手段）。そして、ＰＣ１６０は無線設定機能（例えば、ＷＰＳ）の開始を指示する（ステップＳ２０２：無線設定制御手段）。
【００３４】
なお、図２に示す例では、ＷＰＳの開始を指示しているが、この指示はＰＣ１６０におけるユーザーの指示に基づいて行われるものである。よって、ユーザーがＡＯＳＳを指定すれば、ＡＯＯＳの開始指示が行われる。さらに、ＷＰＳ／ＡＯＳＳの双方を開始する指示を与えるようにしてもよい。
【００３５】
上述のようにして、プリンタ１００に対して無線設定機能の開始を指示した後、ＰＣ１６０は有線ＬＡＮ１２０を介してＡＰ１１０に対して、無線設定機能（ここでは、ＷＰＳ）の開始を指示する（ステップＳ２０３：無線設定制御手段）。これによって、ＡＰ１１０およびプリンタ１００はＷＰＳによる無線設定を開始する（ステップＳ２０４）。
【００３６】
なお、ＡＰ１１０とプリンタ１００との間におけるＷＰＳ設定処理制御については、通常のＷＰＳ設定と同様であるので、説明を省略する。
【００３７】
ＷＰＳによる無線設定を実行した後、プリンタ１００はその実行結果を設定結果通知としてＰＣ１６０に通知する（ステップＳ２０５）。同様に、ＷＰＳによる無線設定を実行した後、ＡＰ１１０はその実行結果を設定結果通知としてＰＣ１６０に通知する（ステップＳ２０６）。そして、ＰＣ１６０は当該実行結果を表示部に表示して（ステップＳ２０７：表示制御手段）、処理を終了する。
【００３８】
図３は、図１に示す無線ＬＡＮシステムにおける無線設定制御の第２の例を説明するための図である。なお、ここでは、無線設定機能として、ＷＰＳ−ＰＩＮ方式を用いる場合について説明する。
【００３９】
前述のように、アプリケーションプログラムが実行されると、ＰＣ１６０はＵＳＢインターフェースを介してプリンタ１００に対して無線ＬＡＮの設定開始を通知する（ステップＳ３０１）。そして、ＰＣ１６０はＷＰＳ−ＰＩＮ）の開始を指示する（ステップＳ３０２）。
【００４０】
ＷＰＳ−ＰＩＮの開始指示を受けると、プリンタ１００はＰＩＮコード（通常は８バイトの数値で表現可能な文字列）を生成する（ステップＳ３０３）。
【００４１】
プリンタ１００はＰＣ１６０にＰＩＮコードを転送する（ステップＳ３０４）。ＰＩＮコードを受信すると、ＰＣ１６０は有線ＬＡＮ１２０を介してＡＰに対してＷＰＳ−ＰＩＮの開始を指示する（ステップＳ３０５）。そして、ＰＣ１６０はＰＩＮコードをＡＰ１１０に転送する（ステップＳ３０６）。
【００４２】
プリンタ１００およびＡＰ１１０はＷＰＳ−ＰＩＮによる設定を開始する（ステップＳ３０７）。ＡＰ１１０とプリンタ１００との間におけるＷＰＳ−ＰＩＮの設定処理制御については、通常のＷＰＳ−ＰＩＮ設定と同様であるので、説明を省略する。
【００４３】
ＷＰＳ−ＰＩＮによる無線設定を実行した後、プリンタ１００はその実行結果をＰＣ１６０に通知する（ステップＳ３０８）。同様に、ＷＰＳ−ＰＩＮによる無線設定を実行した後、ＡＰ１１０はその実行結果をＰＣ１６０に通知する（ステップＳ３０９）。そして、ＰＣ１６０は当該実行結果を表示部に表示して（ステップＳ３１０）、処理を終了する。
【００４４】
図４は、図２に示す無線設定制御においてエラーが発生した際のリカバリ処理を説明するための図である。
【００４５】
いま、図２に示すステップＳ２０４においてエラーが発生したとする。例えば、プリンタ１００とＡＰ１１０との間の電波強度（電界強度）が弱く、通信を行うことができなかったとする。言い換えると、プリンタ１００とＡＰ１１０との物理的な距離が遠いか又はその間に物理的な壁などが存在して通信に必要な電波強度を確保することができず通信不能となった場合である。
【００４６】
この際には、ＡＰ１１０およびプリンタ１００の各々からＰＣ１６０に対して設定失敗の旨が通知される（ステップＳ４０１）。設定失敗の通知を受けて無線設定が失敗したことと判定すると、ＰＣ１６０は有線ＬＡＮ１２０を介してＡＰ１１０に対して無線ＬＡＮの設定パラメータを要求する（ステップＳ４０２：パラメータ要求手段）。
【００４７】
当該要求に応答して、ＡＰ１１０は無線ＬＡＮ設定パラメータをＰＣ１６０に送信する（ステップＳ４０３）。そして、ＰＣ１６０は当該無線ＬＡＮ設定パラメータの解釈を行って、この無線ＬＡＮ設定パラメータによる無線設定をプリンタ１００に対して指示する（ステップＳ４０４：リカバリ制御手段）。
【００４８】
プリンタ１００は、ＰＣ１６０から送られた無線ＬＡＮ設定パラメータに応じて無線設定を行う（ステップＳ４０５）。そして、プリンタ１００はその設定結果を結果通知としてＰＣ１６０に通知する（ステップＳ４０６）。
【００４９】
ＰＣ１６０は当該設定結果を表示部に表示し（ステップＳ４０７：表示制御手段）、当該設定結果による無線通信状態を示す無線通信状態情報の取得をプリンタ１００に要請する（ステップＳ４０８：状態情報要求手段）。
【００５０】
プリンタ１００は無線ＬＡＮパラメータによって行われた無線設定による無線通信状態を示す無線通信状態情報（無線ＬＡＮにおける電波強度およびＡＰ一覧リストなどの各種情報）をＰＣ１６０に送信する（ステップＳ４０９）。そして、ＰＣ１６０は無線通信状態情報を表示部に表示して（ステップＳ４１０：表示制御手段）、処理を終了する。
【００５１】
なお、図４において、無線ＬＡＮ設定パラメータがプリンタ１００に対応していない無線設定パラメータである場合には、当該無線ＬＡＮ設定パラメータによる無線設定は中止される。
【００５２】
図５は、図１に示す無線ＬＡＮを用いたＰＣ１５０において無線設定制御を行う際に図２に示す無線設定制御においてエラーが発生した際のリカバリ処理を説明するための図である。
【００５３】
なお、ＰＣ１５０が無線設定制御を行う際にも図２で説明したようにして無線設定制御が行われるが、この際には、ＰＣ１５０は無線ＬＡＮによってＡＰ１１０と通信を行う。
【００５４】
まず、前述したように、ここでは、ユーザーの指示に応じてＰＣ１５０においてアプリケーションプログラムが起動される。そして、図２で説明したようにして無線設定が行われる。この際、図２に示すステップＳ２０４においてエラーが発生したとする。エラーの発生によって、ＡＰ１１０およびプリンタ１００の各々からＰＣ１６０に対して設定失敗の旨が通知される（ステップＳ５０１）。
【００５５】
設定失敗の通知を受けると、ＰＣ１５０は無線ＬＡＮアダプタ（無線ネットワークインターフェース）を検知して、その無線ＬＡＮ設定パラメータを取得する（ステップＳ５０２）。
【００５６】
ＰＣ１５０はプリンタ１００に対してＵＳＢインターフェースを介して、無線ＬＡＮ設定の開始通知を行って（ステップＳ５０３）、無線ＬＡＮ設定パラメータをプリンタ１００に送信する（ステップＳ５０４）。
【００５７】
プリンタ１００は無線ＬＡＮ設定パラメータに応じて無線設定を行う（ステップＳ５０５）。そして、プリンタ１００はその無線設定の設定結果をＰＣ１５０に通知する（ステップＳ５０６）。ＰＣ１５０は当該設定結果を表示部に表示する（ステップＳ５０７）。
【００５８】
その後、ＰＣ１５０は当該設定結果に応じた無線通信状態情報の取得をプリンタ１００に要請する（ステップＳ５０８）。この要請に応答して、プリンタ１００は設定結果による無線通信状態を示す無線通信状態情報をＰＣ１５０に送信する（ステップＳ５０９）。ＰＣ１５０はこの無線通信状態情報を表示部に表示して（ステップＳ５１０）、処理を終了する。
【００５９】
図５に示す例では、無線設定の際にはエラーが発生すると、その後、ＰＣ１５０とＡＰ１１０との通信は行われず、リカバリ処理が行われる。
【００６０】
このように、無線ＬＡＮを用いたＰＣ１５０を用いて無線設定制御を行えば、無線ＬＡＮを介して無線設定制御が行われるため、最適な無線通信を容易に行うことができる。
【００６１】
以上のように、本実施の形態によれば、ＰＣ１５０又は１６０からの無線設定制御に応じてプリンタ１００はＡＰ１１０との無線設定を実行するので、ユーザーはＰＣ１５０又は１６０においてアプリケーションプログラムを起動するだけでよく、無線設定を極めて容易に行うことができる。
【００６２】
さらに、プリンタ１００に特別の機器などを備える必要もなく、コストアップを抑制することができる。
【００６３】
以上、本発明について実施の形態に基づいて説明したが、本発明は、これらの実施の形態に限定されるものではなく、この発明の要旨を逸脱しない範囲の様々な形態も本発明に含まれる。
【００６４】
例えば、上記の実施の形態の機能を制御方法として、この制御方法をＰＣに実行させるようにすればよい。また、上述の実施の形態の機能を有するプログラムを制御プログラムとして、この制御プログラムをＰＣが備えるコンピュータに実行させるようにしてもよい。なお、制御プログラムは、例えば、コンピュータに読み取り可能な記録媒体に記録される。
【００６５】
この際、制御方法および制御プログラムの各々は、少なくとも無線設定制御ステップおよび表示制御ステップを有することになる。
【００６６】
また、本発明は、以下の処理を実行することによっても実現される。即ち、上述した実施形態の機能を実現するソフトウェア（プログラム）を、ネットワーク又は各種記録媒体を介してシステム或いは装置に供給し、そのシステム或いは装置のコンピュータ（またはＣＰＵやＭＰＵ等）がプログラムを読み出して実行する処理である。
【符号の説明】
【００６７】
１００  プリンタ（画像形成装置）
１１０  無線アクセスポイント（ＡＰ）
１２０  有線ＬＡＮ
１５０，１６０  ＰＣ（無線設定制御装置）
【図１】
2013055463.tif 000003
【図２】
2013055463.tif 000004
【図３】
2013055463.tif 000005
【図４】
2013055463.tif 000006
【図５】
2013055463.tif 000007